(57)【特許請求の範囲】
【請求項１】
複数の基地局装置と、基地局装置に無線接続される加入者局装置を備え、加入者局装置に通信端末装置を収容した加入者無線アクセスシステムであって、
異なる基地局装置に無線接続される加入者局装置間を仮想的専用線網を通して接続するために、基地局装置を仮想的専用線網に接続する交換機を基地局装置毎に接続して或いは組み込んで設け、
各基地局装置毎に設けられた交換機は、加入者局装置に付与された交換機用識別情報と仮想的専用線網のコネクション情報とを対応付ける交換機テーブルと、加入者局装置から当該各基地局装置へ送信されてきたデータに付加されている交換機用識別情報を交換機テーブルを参照して仮想的専用線網のコネクション情報に変換して当該データを当該変換したコネクション情報の仮想的専用線網を通して他の基地局装置へ送信する機能と、他の基地局装置から仮想的専用線網を通して送信されてきたデータについて当該仮想的専用線網のコネクション情報を交換機テーブルを参照して加入者局装置の交換機用識別情報に変換して当該データを当該各基地局装置の加入者局装置との無線通信制御部へ送信する機能と、を備えたことを特徴とする加入者無線アクセスシステム。
【請求項２】
請求項１に記載の加入者無線アクセスシステムにおいて、
各基地局装置毎に設けられた交換機の交換機テーブルには、仮想的専用線網を通して接続する加入者局装置に対して同一の仮想的専用線網のコネクション情報が記述されていることを特徴とする加入者無線アクセスシステム。
【請求項３】
請求項１又は請求項２に記載の加入者無線アクセスシステムにおいて、
加入者局装置には、各加入者局装置を個別に識別するための個別識別情報と、複数の加入者局装置をグループ化するためのグループ化識別情報とが付与され、
加入者局装置に付与されたグループ化識別情報が交換機用識別情報として用いられ、
基地局装置は個別識別情報とグループ化識別情報とを対応付ける基地局装置テーブルを有し、同一のグループに属する加入者局装置には同一のグループ化識別情報が記述されていることを特徴とする加入者無線アクセスシステム。
【請求項４】
請求項３に記載の加入者無線アクセスシステムにおいて、
簡易ネットワーク監視プロトコルによるシステムであり、交換機が有する交換機テーブル及び基地局装置が有する基地局装置テーブルは管理情報ベースであり、
仮想的専用線網を介して接続される管理装置から送信された情報によりこれらの管理情報ベースが書き換えられることを特徴とする加入者無線アクセスシステム。
【請求項５】
請求項３又は請求項４に記載の加入者無線アクセスシステムにおいて、
基地局装置と加入者局装置との無線通信フレームには、当該加入者局装置に付与されたグループ化識別情報が包含されることを特徴とする加入者無線アクセスシステム。
【請求項６】
異なる基地局装置に無線接続される加入者局装置間を仮想的専用線網を通して接続するために、基地局装置毎に接続されて設けられ、当該基地局装置を仮想的専用線網に接続する交換機であって、
加入者局装置に付与された交換機用識別情報と仮想的専用線網のコネクション情報とを対応付ける交換機テーブルと、加入者局装置から自機が設けられた基地局装置を介して送信されてきたデータに付加されている交換機用識別情報を交換機テーブルを参照して仮想的専用線網のコネクション情報に変換して当該データを当該変換したコネクション情報の仮想的専用線網を通して他の基地局装置へ送信する機能と、他の基地局装置から仮想的専用線網を通して送信されてきたデータについて当該仮想的専用線網のコネクション情報を交換機テーブルを参照して加入者局装置の交換機用識別情報に変換して当該データを自機が設けられた基地局装置へ送信する機能と、を備えたことを特徴とする交換機。
【請求項７】
自装置に無線接続される加入者局装置と他の基地局装置に無線接続される加入者局装置との間を仮想的専用線網を通して接続するために、自装置を仮想的専用線網に接続する交換機の機能を備えた基地局装置であって、
交換機の機能として、加入者局装置に付与された交換機用識別情報と仮想的専用線網のコネクション情報とを対応付ける交換機テーブルと、加入者局装置から自装置へ送信されてきたデータに付加されている交換機用識別情報を交換機テーブルを参照して仮想的専用線網のコネクション情報に変換して当該データを当該変換したコネクション情報の仮想的専用線網を通して他の基地局装置へ送信する機能と、他の基地局装置から仮想的専用線網を通して送信されてきたデータについて当該仮想的専用線網のコネクション情報を交換機テーブルを参照して加入者局装置の交換機用識別情報に変換して当該データを加入者局装置との無線通信制御部へ渡す機能と、を備えたことを特徴とする基地局装置。
【発明の詳細な説明】
【０００１】
【発明の属する技術分野】
本発明は、基地局装置に無線接続される加入者局装置にパーソナルコンピュータなどの通信端末装置やこのような通信端末装置を接続したＬＡＮなどを収容する加入者無線アクセスシステム（ＦＷＡなどとも略称される）に関し、特に、ＡＴＭ（非同期転送モード）網などによって実現される仮想的専用線網を介した通信を制御する技術に関する。
【０００２】
【従来の技術】
近年、パーソナルコンピュータ、モバイルツール、携帯電話機などといった種々な通信端末装置が身近に用いられるようになってきており、このような通信端末装置を無線接続する無線ＬＡＮが開発され実用に供せられている。
また、加入者局装置に通信端末装置や通信端末装置を接続したＬＡＮなどを収容し、加入者局装置を基地局装置に無線接続する加入者無線アクセスシステムが開発され実用に供せられている。
【０００３】
このような加入者無線アクセスシステムでは、基地局装置と加入者局装置との無線通信を介して、基地局装置側の通信網と加入者局装置側の通信端末装置とを接続することができ、また、基地局装置をブリッジとして機能させて、同一の基地局装置が収容している複数の加入者局装置の通信端末装置間を接続することもできる。
したがって、加入者無線アクセスシステムを用いると、基地局装置と加入者局装置とを設置することによって、通信線路の敷設工事を行わずに通信端末装置やそのＬＡＮを簡単に通信網に接続することができる。
【０００４】
また、加入者無線アクセスシステムを用いると、同一の基地局装置に収容される複数の加入者局装置をグループ化して設定することもでき、例えば、或る加入者のＬＡＮを幾つかに分割してそれぞれを同一グループ内の異なる加入者局装置で接続することにより大きな通信帯域を確保する、幾つかの建物がある事業所（加入者）ではそれぞれの建物内に設置されたＬＡＮを同一グループ内の異なる加入者局装置で接続することにより事業所全体としてのＬＡＮの統合化を図るなどといった利点を得ることができる。
【０００５】
【発明が解決しようとする課題】
ここで、情報通信の必要性や重要性が高まるに連れて、通信端末装置間を常時接続する要求が強くなってきている。このような常時接続の要請は加入者無線システムにおいても同様であり、ＡＴＭ網などのように通信事業者により提供されている仮想的専用線網サービスを利用して、加入者局装置に収容される通信端末装置間を常時接続することが要求されている。
加入者無線アクセスシステムでは、異なる基地局装置間を仮想的専用線網で接続し、これら異なる基地局装置に無線接続される異なる加入者局装置に収容された通信端末装置間を当該仮想的専用線網を介することで常時接続することとなる。
【０００６】
しかしながら、加入者無線アクセスシステムにおいては、基地局装置に主体の異なる複数の加入者局装置を収容しており、単に基地局装置間を仮想的専用線網で接続しただけでは、常時接続すべきでない加入者局装置（すなわち、通信端末装置）間が常時接続されてしまうことになってしまうと言う問題があった。
例えば、東京の基地局装置に収容されているＡ社用（Ａ社東京本社）の加入者局装置のＬＡＮと大阪の基地局装置に収容されているＡ社用（Ａ社大阪支社）の加入者局装置のＬＡＮとを常時接続する場合、Ａ社東京本社の加入者局装置を同じ基地局装置に収容されているＢ社の加入者局装置のＬＡＮもＡ社大阪支社と常時接続されてしまうことにもなって、機密保持上の問題を生じてしまうことにもなっていた。
【０００７】
本発明は、上記従来の事情に鑑みなされたもので、加入者無線アクセスシステムにおいて仮想的専用線網を通した常時接続を支障なく実現することを目的とする。
なお、本発明の更なる目的は、以下の説明において明らかなところである。
【０００８】
【課題を解決するための手段】
本発明は、基地局装置に無線接続される加入者局装置を備え、加入者局装置に直接的或いはＬＡＮなどのネットワークを介して通信端末装置を収容した加入者無線アクセスシステムである。そして、本発明に係る加入者無線アクセスシステムでは、異なる基地局装置に無線接続される加入者局装置間を仮想的専用線網を通して接続するために、基地局装置を仮想的専用線網に接続する交換機を設け、この交換機に、加入者局装置に付与された識別情報と当該加入者局装置を接続するために割り当てられた仮想的専用線網のコネクション情報とを対応付けるテーブルと、配下の基地局装置を介して加入者局装置から送信されてきたデータをテーブルを参照して仮想的専用線網を通して他の基地局装置へ送信する機能と、仮想的専用線網を通して送信されてきたデータをテーブルを参照して加入者局装置の識別情報に変換して配下の基地局装置へ送信する機能と、を備えている。
【０００９】
具体的には、交換機は、そのテーブルに、例えば、各加入者局装置に個別に付与されたＩＤ（ＣＰＥ―ＩＤ）、或いは、ＩＥＥＥ８０２．１Ｑに準拠してイーサネット通信フレームに設定される加入者局装置を識別するためのタグ（ＶＬＡＮ―Ｔａｇ）と、仮想的専用線網のコネクション情報（ＶＰＩ／ＶＣＩ）とが対応付けて記憶されており、配下の基地局装置を介して加入者局装置からデータが送信されて来ると、テーブルを参照して、当該データに付加されている送信元加入者局装置の識別情報（ＣＰＥ―ＩＤやＶＬＡＮ―Ｔａｇ）を仮想的専用線網のコネクション情報（ＶＰＩ／ＶＣＩ）に変換して当該データを仮想的専用線網を通して他の基地局装置へ送信し、また、仮想的専用線網を通してデータが送信されて来ると、テーブルを参照して、当該データの仮想的専用線網のコネクション情報（ＶＰＩ／ＶＣＩ）を加入者局装置の識別情報（ＣＰＥ―ＩＤやＶＬＡＮ―Ｔａｇ）に変換して当該データを配下の基地局装置（すなわち、加入者局装置）へ送信する。
【００１０】
したがって、仮想的専用線網を介した加入者局装置（すなわち、その配下の通信端末装置）間の常時接続が実現される。そして、当該加入者無線アクセスシステムによれば、特定の加入者に対して常時接続を実現できるため、例えば、有料テレビ局からの提供情報を受信加入者にのみ配信すると言ったサービスを実現することもできる。
【００１１】
また、本発明に係る加入者無線アクセスシステムでは、交換機は基地局装置毎に接続され或いは基地局装置毎に組み込まれて設けられて、当該基地局装置と仮想的専用線網との間の通信を制御する。そして、交換機のテーブルには、仮想的専用線網を通して接続する加入者局装置に対して同一の仮想的専用線網コネクション情報（ＶＰＩ／ＶＣＩ）が記憶されている。
【００１２】
具体的には、一の交換機テーブルに記憶された加入者局装置Ａの識別情報と、仮想的専用線網を介した他の交換機テーブルに記憶された加入者局装置Ｂの識別情報とに対して同一のコネクション情報が対応付けられており、例えば、同じ会社の東京本社の加入者局装置と大阪支社の加入者局装置とを閉鎖的な環境で常時接続して、これら加入者局装置に収容された通信端末装置間の常時接続を実現することができる。
【００１３】
また、本発明に係る加入者無線アクセスシステムでは、加入者局装置には、各加入者局装置を個別に識別するための個別識別情報と、複数の加入者局装置をグループ化するためのグループ化識別情報とが付与され、基地局装置は個別識別情報とグループ化識別情報とを対応付けるテーブルを有し、同一のグループに属する加入者局装置には同一のグループ化識別情報（ＶＬＡＮ―Ｔａｇ）が記憶されている。
【００１４】
具体的には、例えば、上記のＣＰＥ―ＩＤを各加入者局装置の個別識別情報とし、ＶＬＡＮ―Ｔａｇをグループ化識別情報として、基地局装置はテーブルでＣＰＥ―ＩＤとＶＬＡＮ―Ｔａｇとを対応付けて管理しており、同一のグループに属する加入者局装置には同一のＶＬＡＮ―Ｔａｇが記記憶されている。例えば、或る基地局装置の配下にＣＰＥ―ＩＤがＡ〜Ｅの５つの加入者局装置が設置されている場合に、その内のＣＰＥ―ＩＤがＢとＤの２つの加入者局装置をグループ化するときには、これらは同一のＶＬＡＮ―Ｔａｇでテーブル管理される。
【００１５】
したがって、基地局装置と加入者局装置との無線通信フレームにグループ化識別情報（ＶＬＡＮ―Ｔａｇ）を包含させ、基地局装置がＶＬＡＮ―Ｔａｇをもって通信制御することにより、当該基地局装置の配下にある異なる加入者局装置を閉鎖的にグループ化することができ、これら加入者局装置の配下にある通信端末装置を仮想的に同一のＬＡＮに接続されているようにすることができる。
更に、交換機のテーブルにおいても、加入者局装置の識別情報であるＶＬＡＮ―Ｔａｇを仮想的専用線網のコネクション情報（ＶＰＩ／ＶＣＩ）に対応付けてテーブル管理すれば、異なる基地局装置の配下にある加入者局装置グループ同士を仮想的専用線網を通して常時接続することができる。
【００１６】
また、本発明に係る加入者無線アクセスシステムでは、簡易ネットワーク監視プロトコル（ＳＮＭＰ）によるシステム構成とし、基地局装置が有するテーブルは管理情報ベース(ＭＩＢ)で、仮想的専用線網を介して接続される管理装置（ＳＮＭＰマネジャー）から送信された情報によりグループ化識別情報（ＶＬＡＮ―Ｔａｇ）が管理情報ベース(ＭＩＢ)に記述される。
したがって、例えば、加入者からの届け出により管理センタが所望のグループ化を基地局装置に対して遠隔操作で設定することができ、作業者がわざわざ各基地局装置へ出向いて設定作業をするようなことなく、仮想的専用線網を通して常時接続される加入者局装置グループを簡単に設定することができる。
【００１７】
また、本発明に係る加入者無線アクセスシステムでは、基地局装置と加入者局装置との無線通信フレームに当該加入者局装置に付与されたグループ化識別情報（ＶＬＡＮ―Ｔａｇ）が包含されており、これによって、上記のように複数の加入者局装置の配下にある通信端末装置を仮想的に同一のＬＡＮに接続されているようにすることができ、また、上記のように基地局装置のテーブルに記述設定されたグループ化識別情報（ＶＬＡＮ―Ｔａｇ）を配下の加入者局装置へ通知することができる。
【００１８】
また、本発明は、異なる基地局装置に無線接続される加入者局装置間を仮想的専用線網を通して接続するために、基地局装置を仮想的専用線網に接続する交換機であって、加入者局装置に付与された識別情報（ＶＬＡＮ―Ｔａｇ、ＣＰＥ―ＩＤなど）と当該加入者局装置を接続するために割り当てられた仮想的専用線網のコネクション情報（ＶＰＩ／ＶＣＩなど）とを対応付けるテーブルと、配下の基地局装置を介して加入者局装置から送信されてきたデータをテーブルを参照して仮想的専用線網を通して他の基地局装置へ送信する機能と、仮想的専用線網を通して送信されてきたデータをテーブルを参照して加入者局装置の識別情報に変換して配下の基地局装置へ送信する機能と、を備えている。
【００１９】
また、本発明は、異なる基地局装置に無線接続される加入者局装置間を仮想的専用線網を通して接続するために、仮想的専用線網に接続する機能を備えた基地局装置であって、加入者局装置に付与された識別情報（ＶＬＡＮ―Ｔａｇ、ＣＰＥ―ＩＤなど）と当該加入者局装置を接続するために割り当てられた仮想的専用線網のコネクション情報（ＶＰＩ／ＶＣＩなど）とを対応付けるテーブルと、配下の基地局装置を介して加入者局装置から送信されてきたデータをテーブルを参照して仮想的専用線網を通して他の基地局装置へ送信する機能と、仮想的専用線網を通して送信されてきたデータをテーブルを参照して加入者局装置の識別情報に変換して配下の基地局装置へ送信する機能と、を備えている。
【００２０】
【発明の実施の形態】
本発明を、基地局装置と加入者局装置との間での通信方式がＩＥＥＥ８０２．１Ｑに準拠してＶＬＡＮ―Ｔａｇが設定されたイーサネット通信フレームによる場合を例にとって具体的に説明する。
図１には本例の加入者無線アクセスシステムの構成を示し、図２には交換機及び基地局装置の対応付けテーブルの内容を示してある。
【００２１】
図１に示すように、仮想的専用線網であるＡＴＭ基幹網Ｎを介してＳＮＭＰにより複数の基地局装置が接続される構成であり、各基地局装置にはイーサネット通信フレームで無線接続される複数の加入者局装置が収容され、各加入者局装置には多数の通信端末装置（ＰＣ：図示せず）を収容したローカルエリアネットワークＬがルータＲを介して接続されている。
また、ＡＴＭ基幹網Ｎには、インターネットサービスプロバイダ（ＩＳＰ―Ａ、ＩＳＰ―Ｂ）などの種々なサーバ装置や、本発明に係る加入者無線アクセスシステムを管理するオペレーションセンタに設置されたＳＮＭＰサーバ装置Ｍが接続される。
【００２２】
なお、以下の説明では、２つの基地局装置をそれぞれ基地局＃１と基地局＃２と記し、基地局＃１に収容される４つの加入者局装置をそれぞれＣＰＥ＃１〜ＣＰＥ＃４、基地局＃２に収容される４つの加入者局装置をそれぞれＣＰＥ＃５〜ＣＰＥ＃８と記す。
また、本例は、基地局装置のＡＴＭ基幹網インタフェース部に交換機を組み込んだ構成であり、主に仮想的専用線網の通信制御を司る交換機部分をＡＴＭ―ＳＷと記し、主に配下の加入者局装置との無線通信制御を司る基地局装置部分をＢＳＥと記す。
【００２３】
基地局＃１と基地局＃２とに備えられた各ＡＴＭ―ＳＷとＢＳＥとには、それぞれＭＩＢテーブルＴ１、Ｔ２が備えられており、これらＭＩＢテーブルの記述内容はＡＴＭ基幹網Ｎを通してＳＮＭＰサーバ装置Ｍにより設定できるようになっている。
本例では、これらＭＩＢテーブルＴ１、Ｔ２には図２に示すような内容が設定記憶されている。
【００２４】
基地局＃１のＢＥＳに備えられたテーブルＴ２には、配下に収容する各ＣＰＥ＃１〜＃４の個別識別子ＣＰＥ―ＩＤとこれらＣＰＥのグループ化識別子ＶＬＡＮ―Ｔａｇとが対応付けて記述されており、ＣＰＥ―ＩＤ：１のＣＰＥ＃１にはＶＬＡＮ―Ｔａｇ：１が、ＣＰＥ―ＩＤ：２のＣＰＥ＃２にはＶＬＡＮ―Ｔａｇ：２が、ＣＰＥ―ＩＤ：３のＣＰＥ＃３とＣＰＥ―ＩＤ：４のＣＰＥ＃４とには同じＶＬＡＮ―Ｔａｇ：３が、それぞれ対応付けられている。すなわち、ＣＰＥ＃３とＣＰＥ＃４とは同一のグループに設定されている。
【００２５】
また、基地局＃２のＢＥＳに備えられたテーブルＴ２には、配下に収容する各ＣＰＥ＃５〜＃８の個別識別子ＣＰＥ―ＩＤとこれらＣＰＥのグループ化識別子ＶＬＡＮ―Ｔａｇとが対応付けて記述されており、ＣＰＥ―ＩＤ：５のＣＰＥ＃５にはＶＬＡＮ―Ｔａｇ：１が、ＣＰＥ―ＩＤ：６のＣＰＥ＃６とＣＰＥ―ＩＤ：７のＣＰＥ＃７とには同じＶＬＡＮ―Ｔａｇ：２が、ＣＰＥ―ＩＤ：８のＣＰＥ＃８にはＶＬＡＮ―Ｔａｇ：３が、それぞれ対応付けられている。すなわち、ＣＰＥ＃６とＣＰＥ＃７とは同一のグループに設定されている。
【００２６】
本例では、図１に示すように、ＣＰＥ＃３とＣＰＥ＃４とはユーザＡの東京本店に設置された２つの加入者局装置であり、ＣＰＥ＃６とＣＰＥ＃７とは同じユーザＡの名古屋支店に設置された加入者局装置であり、本例では、当該ユーザＡの東京や名古屋の加入者局間を通信制御するとともに、東京と名古屋の加入者局間を常時接続で通信制御する。
なお、基地局＃１および＃２のＢＳＥには、図３に示すイーサネット通信フレームによる加入者局装置との無線通信を制御する通信制御機能が備えられており、当該通信フレームに含まれるＭＡＣアドレスに従った個別の通信端末装置を宛先とした通信制御や、当該通信フレームに含まれるＶＬＡＮ―Ｔａｇに従った加入者局装置グループ内での通信の制御を行って、ＩＰフレームに含まれる送信データの通信を制御する。
【００２７】
基地局＃１のＡＴＭ―ＳＷとＢＳＥはＶＬＡＮ―Ｔａｇによる論理チャネルで接続され、当該基地局＃１のＡＴＭ―ＳＷに備えられたテーブルＴ１には、ＶＬＡＮ―ＴａｇとＡＴＭ基幹網Ｎのパスとコネクションを特定する情報ＶＰＩ／ＶＣＩとが対応付けて記述されており、例えば、ＶＬＡＮ―Ｔａｇ：３にはＶＰＩ／ＶＣＩ：２／１が対応付けられている。すなわち、ＶＬＡＮ―Ｔａｇ：３による通信はＡＴＭ基幹網ＮのＶＰＩ／ＶＣＩ：２／１で特定されるコネクションを通して常時接続状態で行われる。
【００２８】
また、基地局＃２のＡＴＭ―ＳＷとＢＳＥはＶＬＡＮ―Ｔａｇによる論理チャネルで接続され、当該基地局＃２のＡＴＭ―ＳＷに備えられたテーブルＴ１には、ＶＬＡＮ―ＴａｇとＡＴＭ基幹網Ｎのパスとコネクションを特定する情報ＶＰＩ／ＶＣＩとが対応付けて記述されており、例えば、ＶＬＡＮ―Ｔａｇ：２にはＶＰＩ／ＶＣＩ：２／１が対応付けられている。すなわち、ＶＬＡＮ―Ｔａｇ：２による通信はＡＴＭ基幹網ＮのＶＰＩ／ＶＣＩ：２／１で特定されるコネクションを通して常時接続状態で行われる。
【００２９】
基地局＃１および＃２のＡＴＭ―ＳＷには、テーブルＴ１を参照してＶＰＩ／ＶＣＩを対応するＶＬＡＮ―Ｔａｇに変換することにより、ＡＴＭ基幹網Ｎから受信したデータをＶＬＡＮ論理チャネルを通してＢＳＥへ受け渡し、また、テーブルＴ１を参照してＶＬＡＮ―Ｔａｇを対応するＶＰＩ／ＶＣＩに変換することにより、ＶＬＡＮ論理チャネルを通してＢＳＥから受信したデータをＡＴＭ基幹網Ｎへ送出する変換制御機能が備えられている。
【００３０】
したがって、ＡＴＭ―ＳＷの変換制御機能によって、基地局＃１側でＶＬＡＮ―Ｔａｇ：３が付与されたＣＰＥ＃３とＣＰＥ＃４とを含むグループと、基地局＃２側でＶＬＡＮ―Ｔａｇ：２が付与されたＣＰＥ＃６とＣＰＥ＃７とを含むグループとは、ＶＰＩ／ＶＣＩ：２／１で特定されるＡＴＭ基幹網Ｎのコネクションを通して常時接続状態で行われるように設定されており、ユーザＡの東京本店に設置された加入者局装置（すなわち、その配下の通信端末装置）と、同じユーザＡの名古屋支店に設置された加入者局装置（すなわち、その配下の通信端末装置）とが、常時接続されるようになっている。
【００３１】
上記構成の加入者無線アクセスシステムでは、例えば、加入者（ユーザＡ）がＣＰＥ＃６とＣＰＥ＃７とをグループ化しようとした場合、その要求をオペレーションセンタへ行い、オペレーションセンタのＳＮＭＰマネジャーサーバＭによって、基地局＃２のＢＳＥに設けられたＭＩＢテーブルＴ２を当該要求に応じて書き換える。すなわち、ＳＮＭＰマネジャーサーバＭはＡＴＭ網Ｎの設定用コネクションＶＰＩ／ＶＣＩ：１／１を通して基地局＃２に接続し、設定用のＶＬＡＮ―Ｔａｇ：５００を用いて基地局＃２のＢＳＥにアクセスし、そのＭＩＢテーブルＴ２にＣＰＥ＃６とＣＰＥ＃７とに同じＶＬＡＮ―Ｔａｇ：２を設定する。
【００３２】
なお、ＢＳＥとＣＰＥとの無線通信フレームには図３に示すようにＶＬＡＮ―Ｔａｇが含められるため、このようにしてＢＳＥのＭＩＢテーブルＴ２に設定されたＶＬＡＮ―Ｔａｇは、ＢＳＥとＣＰＥとの無線通信によって、該当するＣＰＥへ通知される。
【００３３】
また、例えば、加入者（ユーザＡ）が同一のＶＬＡＮ―Ｔａｇ：３が設定されることによって既にグループ化されている基地局＃１のＣＰＥ＃３とＣＰＥ＃４とを、基地局＃２のＣＰＥ＃６とＣＰＥ＃７とを含む加入者局グループに常時接続できるようにしようとした場合、その要求をオペレーションセンタへ行い、オペレーションセンタのＳＮＭＰマネジャーサーバＭによって、基地局＃１のＡＴＭ―ＳＷに設けられたＭＩＢテーブルＴ１を当該要求に応じて書き換える。
【００３４】
すなわち、ＳＮＭＰマネジャーサーバＭはＡＴＭ網Ｎの設定用コネクションＶＰＩ／ＶＣＩ：１／１を通して基地局＃１に接続してＡＴＭ―Ｔａｇにアクセスし、そのＭＩＢテーブルＴ１に、基地局＃１のＣＰＥ＃３とＣＰＥ＃４のＶＬＡＮ―Ｔａｇ：３に対応して基地局＃２のＣＰＥ＃６とＣＰＥ＃７に設定されていると同じＶＰＩ／ＶＣＩ：２／１を設定する。
したがって、本発明によれば、ＳＮＭＰマネジャーサーバＭからの遠隔操作によって、ＣＰＥのグループ及びＣＰＥ間のＡＴＭ網Ｎによる常時接続が設定される。
【００３５】
このようなテーブル設定がなされた状態で、例えば、ＣＰＥ＃３の配下にある通信端末装置からＣＰＥ＃４の配下にある通信端末装置へデータ送信を行うと、ＣＰＥ＃３から基地局＃１のＢＳＥへの送信フレームに含まれたＶＬＡＮ―Ｔａｇによって、同一のＶＬＡＮ―Ｔａｇに対応付けられているＣＰＥ＃４へデータが転送される。
したがって、同一の基地局の配下であっても異なる加入者局ＣＰＥに収容されている通信端末同士があたかも同一のＬＡＮで接続されているかのように通信することができる。
【００３６】
また、異なる基地局＃２に収容されている同一ユーザのＣＰＥの配下にある通信端末装置へＣＰＥ＃３の配下にある通信端末装置からデータ送信を行うと、当該データは基地局＃１においてＡＴＭ―ＳＷへ受け渡され、ＭＩＢテーブルＴ１の設定の基づいて、ＡＴＭ網Ｎに確立されているＶＰＩ／ＶＣＩ：２／１の常時接続コネクションを通して基地局＃２へ送信される。そして、基地局＃２では、このＶＰＩ／ＶＣＩ：２／１と自己のＭＩＢテーブルＴ１に基づいて、対応するＶＬＡＮ―Ｔａｇ：２へ変換し、基地局＃２に収容されているＣＰＥ＃６及びＣＰＥ＃７へ受信データを転送する。
したがって、異なる基地局に収容された加入者局（通信端末）間を設定に基づいて常時接続することができる。
【００３７】
【発明の効果】
以上説明したように、本発明によると、異なる基地局装置に収容された加入者局装置間を仮想的専用線網を介して支障なく常時接続させることができ、また、各加入者局装置を容易にグループ化することができ、また、これらの常時接続やグループ化の設定を遠隔地から統合的に操作することができるなどの効果を得ることができる。
【図面の簡単な説明】
【図１】  本発明の一実施例に係る加入者無線アクセスシステムの構成図である。
【図２】  本発明の一例に係る加入者無線アクセスシステムのテーブル内容を説明する概念図である。
【図３】  本発明の一例に係るイーサネットフレームを説明する概念図である。
【符号の説明】
基地局＃１、基地局＃２：基地局装置、  ＣＰＥ＃１〜＃８：加入者局装置、
Ｎ：ＡＴＭ網、  Ｍ：ＳＮＭＰマネジャー装置、
ＡＴＭ―ＳＷ：交換機、  ＢＳＥ：基地局機能部分、
Ｔ１、Ｔ２：ＭＩＢテーブル、
【図１】
0003714869.tif 000002
【図２】
0003714869.tif 000003
【図３】
0003714869.tif 000004